(57)【要約】【目的】空気抵抗を減少する野球用アンダーウェアーの改良を目的とする。【構成】アンダーウェアー腕部表面に、種々の手法により、凹溝、又は凸状、又はドット列等を形成し、これら凹溝、凸状、ドット列等を、腕部長手方向に緩急のスパイラル状を連続して呈するよう形成する構造。【選択図】　図１
2004131903.tif 000002
【特許請求の範囲】
【請求項１】
適宜ストレッチ生地素材より成る上半身用衣服の腕部表面に於いて、
編組織の変化又はエンボス加工によって形成されて任意に暖急をつけ連続したスパイラル状を呈する細溝又は細幅リブを、
左腕は左巻又は右巻に、右腕は右巻又は左巻に形成した、
ことを特徴とする流体抵抗減少野球用アンダーウェアー。
【請求項２】
適宜ストレッチ生地素材より成る上半身用衣服の腕部表面に於いて、
軟質合成樹脂製の、
溶着又は接着等任意手段により形成されて任意に暖急をつけ連続したスパイラル状を呈する細幅リブを、
左腕は左巻又は右巻に、右腕は右巻又は左巻に形成した、
ことを特徴とする流体抵抗減少野球用アンダーウェアー。
【請求項３】
適宜ストレッチ生地素材より成る上半身用衣服の腕部表面に於いて、
編組織の変化又はエンボス加工、又は溶着又は接着等任意手段により形成されて任意に暖急をつけ連続したスパイラル状を呈するドット列を、
左腕は左巻又は右巻に、右腕は右巻又は左巻に形成した、
ことを特徴とする流体抵抗減少野球用アンダーウェアー。
【請求項４】
前記細溝又は細幅リブが、それぞれ適宜間隔をもった複数本であることを特徴とする請求項１又は２記載の流体抵抗減少野球用アンダーウェアー。
【請求項５】
前記細溝又は細幅リブが、それぞれ略等間隔であることを特徴とする請求項１又は２記載の流体抵抗減少野球用アンダーウェアー。
【請求項６】
前記細溝又は細幅リブが、それぞれ複数本かつ略等間隔であることを特徴とする請求項１又は２記載の流体抵抗減少野球用アンダーウェアー。
【請求項７】
前記細溝又は細幅リブが、それぞれ複数本かつ略平行間隔であることを特徴とする請求項１又は２記載の流体抵抗減少野球用アンダーウェアー。
【請求項８】
前記複数の細溝が、ピッチ３．００ｍｍ〜２０．００ｍｍ、幅０．２〜２．０ｍｍ、深さ０．１〜２．０ｍｍであることを特徴とする請求項１又は２、４乃至７記載の流体抵抗減少野球用アンダーウェアー。
【請求項９】
前記複数の細幅リブが、ピッチ３．００〜２０．００ｍｍ、幅０．２〜２．０ｍｍ、高さ０．１〜２．０ｍｍであることを特徴とする請求項１又は２、４乃至７記載の流体抵抗減少野球用アンダーウェアー。
【請求項１０】
前記一本の細溝がピッチ３ｍｍ〜２０．００ｍｍ、幅０．２〜２．０ｍｍ、深さ０．１〜２．０ｍｍであることを特徴とする請求項１又は２記載の流体抵抗減少野球用アンダーウェアー。
【請求項１１】
前記一本の細幅リブがピッチ３〜２０．００ｍｍ、幅０．２〜２．０ｍｍ、高さ０．１〜２．０ｍｍであることを特徴とする請求項１又は２記載の流体抵抗減少野球用アンダーウェアー。
【請求項１２】
前記細構が、角形、台形、くさび形、逆三角形等種々の凹形状を呈することを特徴とする請求項１又は４乃至８、又は１０記載の流体抵抗減少野球用アンダーウェアー。
【請求項１３】
前記細幅リブが、角形、台形、くさび形、逆三角形等種々の凸形状を呈することを特徴とする請求項１又は２、４乃至７、又は９、又は１１記載の流体抵抗減少野球用アンダーウェアー。
【請求項１４】
前記軟質合成樹脂がシリコンゴムであることを特徴とする請求項２記載の流体抵抗減少野球用アンダーウェアー。
【請求項１５】
前記ドット列が適宜間隔をもった複数本であることを特徴とする請求項３記載の流体抵抗減少野球用アンダーウェアー。
【請求項１６】
前記ドット列が略等間隔であることを特徴とする請求項３記載の流体抵抗減少野球用アンダーウェアー。
【請求項１７】
前記ドット列が複数本かつ略等間隔であることを特徴とする請求項３記載の流体抵抗減少野球用アンダーウェアー。
【請求項１８】
前記ドット列が複数本かつ、略平行間隔であることを特徴とする請求項３記載の流体抵抗減少野球用アンダーウェアー。
【請求項１９】
前記複数のドット列の間隔が３〜２０．００ｍｍであることを特徴とする請求項３又は１５乃至１８記載の流体抵抗減少野球用アンダーウェアー。
【請求項２０】
前記複数のドット列をなす単位ドットのピッチが０．２〜２．０ｍｍ、幅乃至直径が０．２〜２．０ｍｍ、高さ０．１〜２．０ｍｍであることを特徴とする請求項３記載の流体抵抗減少野球用アンダーウェアー。
【請求項２１】
前記ドットが合成樹脂であることを特徴とする請求項３記載の流体抵抗減少野球用アンダーウェアー。
【請求項２２】
前記合成樹脂がシリコンゴムであることを特徴とする請求項２１記載の流体抵抗減少野球用アンダーウェアー。
【請求項２３】
前記単位ドットが種々の形状の突起であることを特徴とする請求項３、１５乃至２２記載の流体抵抗減少野球用アンダーウェアー。
【請求項２４】
適宜ストレッチ生地素材より成る上半身用衣服の腕部表面に於いて、
略中央部に、かつ、長手方向に、
貼着、熱溶着等適宜手段によって固着された所定高さを有する細幅軟質合成樹脂を設けている伸縮性のある生地素材より成る細長のテープ状布帛基材を、
前記衣服の腕部表面に、
左巻き又は右巻きに、
任意に暖急をつけ、
連続したスパイラル状を呈するように、
縫着、貼着、熱処理、等適宜手段によって固着したこと、
を特徴とするアンダーウェアー。
【請求項２５】
所定高さの細幅軟質合成樹脂を、
適宜ストレッチ生地素材より成るアンダーウェアの腕部表面に、
左巻き又は右巻きに、
任意に暖急をつけ、
連続したスパイラル状を呈するように、
貼着、熱溶着その他任意手段によって固着したこと，
を特徴とするアンダーウェアー。
【請求項２６】
前記中央部に軟質合成樹脂を設けている細長のテープ状布帛基材、又は、細幅の軟質合成樹脂そのものを、一時的に、乃至所定時間内のみ、剥離乃至離脱しない程度の粘性乃至貼着性の強度を有していること、
を特徴とする請求項２４又は２５記載のアンダーウェアー。
【請求項２７】
前記細長のテープ状布帛基材乃至細幅の軟質合成樹脂が、複数本であることを特徴とする請求項２４乃至２６記載のアンダーウェアー。
【請求項２８】
前記複数本の布帛機材乃至合成樹脂同士を平行に、及び／又は等間隔としたことを特徴とする請求項２７記載のアンダーウェアー。
【請求項２９】
前記複数本の布帛機材乃至合成樹脂同士のピッチが３．００〜２０．００ｍｍであることを特徴とする請求項２７又は２８記載のアンダーウェアー。
【請求項３０】
前記合成樹脂がシリコンゴムであることを特徴とする請求項２４又は２５記載のアンダーウェアー。
【請求項３１】
前記細幅軟質合成樹脂の突出量が０．１ｍｍ〜２．０ｍｍであることを特徴とする請求項２４又は２５記載のアンダーウェアー。
【請求項３２】
前記細幅軟質合成樹脂の幅が、０．２ｍｍ〜２．０ｍｍであることを特徴とする請求項２４又は２５記載のアンダーウェアー。
【発明の詳細な説明】
【０００１】
【発明の属する技術分野】
本発明は、空気の抵抗に係るスポーツ用ウェア、殊に野球競技用アンダーウェアに係る流体抵抗減少スポーツウェアに関するものである。
【０００２】
【従来の技術】
水泳競技や陸上競技、殊に短距離種目に於いては、近時１／１００秒を争う競技となっており、全般的に、水または空気の抵抗は無視しえない問題となっており、全スポーツウェアーメーカーに共通の重要問題ともなっている。
即ち、水中または空中をある物体が移動する場合、その先端、表面及び後方で、水又は空気の圧縮と膨張、水または空気の移動と振動、水または空気の吸着などが生じるため、ある物体をその位置に留まらせるように様々な力が作用することが知られており、典型的には、「カルマン渦」と称する乱流などはその例であって、ある物体が前方に進行しようとする時に、その後方に生じて物体を逆に、即ち後方に吸引しようとする好もしくないものである。
即ち、物体にはその進行を妨げる逆方向に力が発生するため、水中または空中の物体の移動は、推力にとって大変困難となる。
【０００３】
野球においても、選手がボールを投げる行動自体が、あるいは選手がバットスウィングをする行動自体が、腕等を空気中で移動させるものであるため、物体を空中移動させる場合と同様の様々な好もしくない力が加わり、空中移動させ推力を得る行動も大変複雑な要素を内在している。
【０００４】
【発明が解決しようとする課題】
本発明は、以上のような空気抵抗の問題をとらえ、空気を積極的にコントロールして空気抵抗をできるだけ小さくした新規な野球競技用ウェア、殊に、アンダーウェアを提供し、優れた即ち、「速く鋭どい腕振り」効果が出易くしようとするものである。
【０００５】
【課題を解決するための手段】
本発明の野球用アンダーウェアは、適宜ストレッチ生地素材より成る上半身用衣服の腕部表面に於いて、編組織の変化又はエンボス加工によって形成されて連続した緩急のスパイラル状を呈する細溝又は細幅リブを、左腕は左巻又は右巻に、右腕は右巻又は左巻に、形成した、ことを特徴とする野球用アンダーウェアーたることを要旨とする。
【０００６】
又、適宜ストレッチ生地素材より成る上半身用衣服の腕部表面に於いて、軟質合成樹脂製の、溶着又は接着等任意手段により形成されて連続した緩急のスパイラル状を呈する細幅リブを、左腕は左巻又は右巻に、右腕は右巻又は左巻に形成した、ことを特徴とする野球用アンダーウェアーであることもその要旨とする。
【０００７】
更には、適宜ストレッチ生地素材より成る上半身用衣服の腕部表面に於いて、編組織の変化又はエンボス加工、又は溶着又は接着等任意手段により形成されて連続した緩急のスパイラル状を呈するドットの列を、左腕は左巻又は右巻に、右腕は右巻又は左巻に形成した、ことを特徴とする野球用アンダーウェアーであることも要旨とする。
【０００８】
尚、前記細溝又は細幅リブは、それぞれ適宜間隔をもった複数本であること、又、該細溝又は細幅リブが、それぞれ略等間隔であること、該細溝又は細幅リブが、それぞれ複数本かつ略等間隔であること、該細溝又は細幅リブが、それぞれ複数本かつ略平行間隔であることも好もしい。
【０００９】
尚、複数の細溝がピッチ３．０ｍｍ〜２０．００ｍｍ、幅０．２ｍｍ〜２．０ｍｍ、深さ０．１ｍｍ〜２．０ｍｍであること、複数の細幅リブが、ピッチ３．０ｍｍ〜２０．０ｍｍ、幅０．２ｍｍ〜２．０ｍｍ、高さ０．１ｍｍ〜２．０ｍｍであること、一本の細溝がピッチ３．０ｍｍ〜２０．０ｍｍ、幅０．２ｍｍ〜２．０ｍｍ、深さ０．１ｍｍ〜２．０ｍｍであること、一本の細幅リブがピッチ３．０ｍｍ〜２０．０ｍｍ、幅０．２ｍｍ〜２．０ｍｍ、高さ０．１ｍｍ〜２．０ｍｍであることもまた好もしい。
【００１０】
尚、細溝又は細幅リブの形状は、角形、台形、くさび形、逆三角形等種々の凹形状又は凸形状を呈することが可能である。
【００１１】
尚、軟質合成樹脂を用いる場合は、該樹脂がシリコンゴムであることも好もしい。
【００１２】
又、ドット列が適宜間隔をもった複数本であること、ドット列が略等間隔であること、ドット列が複数本かつ略等間隔であること、ドット列が複数本かつ、略平行間隔であること、複数のドット列の間隔が３．０〜２０ｍｍであること、も要旨とする。
【００１３】
尚、複数のドット列をなす単位ドットのピッチ０．２ｍｍ〜２．０ｍｍ、幅乃至直径０．２ｍｍ〜２．０ｍｍ、高さ０．１ｍｍ〜２．０ｍｍであること、各単位ドットが合成樹脂であること、該合成樹脂がシリコンゴムであること、各単位ドットが種々の形状を呈しうること、もまた望ましいことである。
【００１４】
また、前記軟質合成樹脂をその略中央部に長手方向に貼着等固着した細長のテープ状布帛基材又は、前記軟質合成樹脂そのものを、アンダーウェアー腕部表面に貼着、接着、溶着等任意の手段により固着することも要旨とする。
【００１５】
更には、上記軟質合成樹脂を略中央に長手方向に固着した細長テープ状布帛基材又は軟質合成樹脂そのものを、一時的乃至所定（所望）時間内のみ、剥離又は離脱しないよう、粘性や接着性を予め計算し、仮に（一時的に）固着させることもまた要旨である。
【００１６】
そして、上記の合成樹脂がシリコンゴムであること、合成樹脂を複数本設けたこと、複数本の合成樹脂が略等間隔及び／又は略平行であること、合成樹脂の幅が０．２ｍｍ〜２．０ｍｍ、突出量が０．１ｍｍ〜２．０ｍｍであること、複数本の細幅リブ同士の間隔（ピッチ）が３．０ｍｍ〜２０．０ｍｍであることをも、その要旨としている。
【００１７】
【実施の形態及び実施例】
以下には、図に従って、本発明実施の形態及び好もしい実施の例を詳しく説明したい。
尚、本発明に係るアンダーウェア着用者は、投手である場合や、バッターである場合があるが、投手であれば球の速さなど、又、バッターの場合であればバットスウィングの速さなどに、本発明の好もしい影響がそれぞれ生じることは勿論であり、投手、バッター、の立場をそれぞれ置きかえて読まれたい。
【００１８】
【実施例１】
図１乃至図６は、本発明の第一の実施例を示すものである。
そのうち図１は、一本の細溝を腕部にスパイラル状に設けた例の正面図、図２は、一本の細幅リブを腕部にスパイラル状に設けた例の正面図、をそれぞれ示す。
図３は、複数（４本）の細溝を腕部にスパイラル状に設けた例の正面図、図４は、複数（４本）の細幅リブを腕部にスパイラル状に設けた例の正面図、をそれぞれ示す。
図５及び図６は、それぞれ図３、図４のＡ−Ａ線又はＢ−Ｂ線断面拡大図である。
【００１９】
ウェア本体１は、全体が、適宜ストレッチ生地素材より構成されている。
腕部２には、一本の細溝３が、緩いスパイラル状を呈するように、編組織の変化又はエンボス加工によって、肩口から袖口に向かって長手方向に形成され、袖端部で終わっている。
該細溝３は、本例では、幅（Ｗ）２．００ｍｍ、深さ（Ｄ）１．００ｍｍとなるよう構成されている。
又、細溝３は、その形状の如何を問わず、台形、逆三角形等種々の形態が考えられるが、要するに凹形状であればよい。
【００２０】
該スパイラルの方向は、左腕で左巻に、右腕で右巻にそれぞれ構成されているが、それぞれ逆巻であっても勿論よい。
この巻き方向は、利き腕が左か右か、シュート回転を主とするか否か、など主として投手の身体の特質や、主たる球種如何等により各人により任意に選択されることになる。
【００２１】
何れにせよ、上記構成になる野球用アンダーウェア１は、腕部２がスパイラルを構成しているため、例えば投手が腕を振って投球せんとすると、該腕部２の後ろに左巻又は右巻の渦（カルマン渦）が発生する。
この時、該カルマン渦気流はスパイラル状の溝３の存在により、腕の延長方向にも気流の整流となった渦が形成され、抵抗の原因となるカルマン渦の発生自体が抑えられ少なくなるか又は発生が阻止される。
このため、該アンダーウェア１は、カルマン渦の発生がなくなるか、あるいはあってもごく少なくなるだけ、アンダーウェア１着用者の腕の動きを進行方向の後方から引っ張る力がなくなるため、その分軽くスムーズに腕の振りを行うことができる。
【００２２】
即ち、「速く鋭い腕振り」が可能となり、結果的には、投手の場合には、それに伴い握られていたボール自体も、着用選手の腕振り同様速く鋭い勢いのあるボールとなることが期待できる。
【００２３】
また、このアンダーウェア１の腕部２は（のみならず通常は全体も）適当なストレッチ素材にて構成されているから、伸縮性のアップは勿論、腕の筋肉の適度な締め付け、引き締め、も行われることになる。この筋肉の引き締めによってアンダーウェア自体が、殊に腕部２が、腕に密着させることともなり、投手等着用者の筋力が充分発揮でき、またフィット感をも与えるという、心理的にも好もしい結果乃至利点さえも生じ、前記腕振り時のスパイラルによる大気流の整流作用と、同じく腕振り時に発生するカルマン渦の阻止乃至減少作用、と相俟って、格別に、「素早く力強く鋭い腕振り」を可能とすることになる。
【００２４】
尚、上記した第一実施例のもたらす作用の理論付けと、その内容については、以下に述べる他の実施例に於いても全く同様であるため、以後は殊更に重複して述べることは避けることとしたい。
【００２５】
次に、図２には、前記一本の細溝３に代えて、一本の細幅リブ４を形成した例を示してある。この場合の説明としては、前記の場合と略同一の機能を、凹形状ならぬ凸形状が同様に発揮しえた。
尚、この例では、該細幅リブ４は、幅（Ｗ）２．０ｍｍ、高さ（Ｈ）１．０ｍｍとして構成してある。
又、該細幅リブ４の形状も、前記細溝３の場合同様種々の形態を呈することが可能であることは勿論である。
【００２６】
更に、図３には、図１のような一本の細溝ではなく、複数本、本例では４本、の細溝３’を形成した例を示している。
この場合、複数本の細溝３’は、図５にあるように、各細溝間を略等間隔Ｐ（本例では５ｍｍピッチ）として構成してあり、各細溝の幅（Ｗ）は２．０ｍｍ、深さ（Ｄ）は２．０ｍｍとしてある。
【００２７】
又、図４は、図３が複数本の細溝３’であるに対し、複数本の細幅リブ４’である点が異なるのみであり、その他については同様である。
尚、図４の場合も各細幅リブのピッチＰは５ｍｍ、幅（Ｗ）は２．０ｍｍ、突出量（Ｈ）は２．０ｍｍと構成してある（図６）。
【００２８】
【実施例２】
図７乃至図９は、本発明の第二の実施例を示すものである。
そのうち図７は、軟質ゴムとしてシリコンを採択し、一本のシリコンゴム製の細幅リブをスパイラル状に設けた例を、また、図８は複数本（本例の場合４本）のシリコンゴム製の細幅リブをスパイラル状に設けた例をそれぞれ示す。
尚、図９は、図８のＣ−Ｃ線断面拡大図である。
以下には、この実施例を説明するが、説明の重複を避けるため、第一の実施例と同様の点についての説明は略し、異なる部分のみを説明することとしたい。
【００２９】
この第二の実施例に於いては、一本の、又は複数本のシリコンゴム製の細幅リブ５，５’・・・が、熱溶着又は接着により、緩いスパイラル状を呈するように、腕部２の肩口から袖口に向かって長手方向に、連続して生地と一体化するよう形成されている。
本例では、緩いスパイラル状の細幅リブ５，５’・・・は左腕は左巻に、右腕は右巻にそれぞれ構成されている。
尚、本例での該細幅リブ５又は５’・・・の何れもが、幅（Ｗ）２．０ｍｍ、高さ（Ｈ）１．０ｍｍに構成してあり、更に複数本５’・・・の場合は、複数本の細幅リブ５’同士は、図９にあるように、各細幅リブ５’同士を、略等間隔の５ｍｍピッチ（Ｐ）として構成されている。
又、該細幅リブ５又は５’・・・の突起形状も、その形態の如何を問わない。
【００３０】
このようにして構成された第二実施例に於いても、第一実施例と同様に、腕部２の後ろに左巻き又は右巻きに発生するカルマン渦は、スパイラル状の細幅リブ５，５’・・・が形成されているため、腕振り時にその発生を抑えられて少なくなるか、又は発生自体が阻止されることになる。
従って、空気抵抗は減少して腕振りは当然速く鋭くなるし、又、ストレッチ素材であることによる筋肉の適度な締め付けも生じ、結果として運動機能は向上し、ボール自体も速くなるという好もしい現象が生じた。
【００３１】
【実施例３】
図１０乃至図１２は、本発明の第三の実施例を示す。
そのうち図１０は、ドットの列を一列として全体を緩いスパイラル状を呈するように編組織の変化又はエンボス加工により、又は、熱溶着等により構成した例を示す。
尚、図１１は、ドット列を複数列（この場合４列）としたものを示しており、図１２は図１１のＤ−Ｄ線断面拡大斜視図である。
以下、この第三実施例を説明するが、第二実施例同様、重複説明を避けるため、第一実施例と異なる点だけを述べたい。
【００３２】
この第三実施例は、第一、第二の実施例が、一本又は複数本の細溝、細幅リブを形成するに対し、小さな単位ドットを列をなすように構成したものである。
即ち、図１０中符号６は、合成樹脂のうちシリコンゴムの単位小ドットを生地に後加工として溶着等一体化し形成したもの、又は、編組織の変化やエンボス加工により工程の当初から生地自体に単位小ドットを形成したもの、の何れかを示すものであって、何れも多数の集合により全体として適宜間隔をもったスパイラル状の列（一列）を構成している。
又、図１１中の符号６’・・・は、図１２の断面拡大斜視図にて判るように、上記ドット列を、一本の列ではなく複数本のドット列としたものを示している。
【００３３】
上記二つの場合に於いて、各単位小ドット６又は６’は、ピッチ（Ｐ−単位ドット同士の間隔）を２．０ｍｍ、高さ（Ｈ）を１．０ｍｍ、幅（Ｗ）を１．０ｍｍ、ドット列同士の間隔は略等間隔及び平行であり、列同士のピッチ（Ｐ’）は３．０ｍｍに構成してある。
【００３４】
尚、本例の場合にも、各単位ドット６乃至６’の突出形状如何は問わない。
【００３５】
このようにして形成された一本又は複数本のドット列６，６’・・・は、腕部２の肩口から袖口に長手方向に連続して緩いスパイラル状を呈するよう左腕は左巻きに、右腕は右巻きに（逆も可能）構成されている。
【００３６】
腕部２の後ろに本来的に発生する、抵抗として好ましくないカルマン渦は、スパイラル状のドット列の存在により、その発生そのものを阻止されるか、少なくされることになる。
従って、当然乍ら、この好ましくない腕振りの抵抗となるカルマン渦の減少等によって、投手等の腕振りは、速く、かつ、鋭くなり、従ってボール自体も高速となる、という良好な結果を生むことになる。
【００３７】
【実施例４】
次には、図１３（ａ）又は同（ｂ）として、他の新規な実施例としての、要部拡大断面図を示す。
この例では、シリコンゴム７をその中央部に長手方向に形成したテープ状布帛基材８を（ａ）、又、シリコンゴム７を（ｂ）、腕部２に直接貼着等固着した例を示している。この場合も、該テープ状布帛基材８、及び、シリコンゴム７、を複数本設けることが勿論可能であり、実施の例としては、図１３（ａ）は、シリコンゴム７同士のピッチを６．００ｍｍ、幅を０．２ｍｍ、突出量を０．１ｍｍとしてある。
又、図１３（ｂ）は、シリコンゴム同士のピッチを３．００ｍｍとし、他は図１３（ａ）と同様としてある。
【００３８】
【実施例５】
更に、実施例５としても、大気の抵抗を減少し、腕振りを速く行い、結果速いボールを投げることができるようにする新規な構成を実施の例として挙げられる。
【００３９】
この構造は、図１３（ａ）、同（ｂ）に示されているテープ状布帛基材８又はシリコンゴム７を一定時間内だけ充分に貼着等の効果を保つように、シリコンゴム該テープ状布帛基材８又はシリコンゴム７の裏面と、アンダーウェアー腕部２の表面とを、軽く乃至仮に、固着させることが出来、又、着用者の好む緩急のスパイラル形状を着用者自ら容易に構成することができる構成となっている。
【００４０】
即ち、着用者は、予め突出させたテープ状布帛基材８又はシリコンゴム７を着用者の投球フォームや、主とする投球、又、その日のコンディション等に適切な緩み程度を持ったスパイラルの角度に調節しながら長さ方向にスパイラル状に、アンダーウェアー１の腕部２の表面に固着し形成することが可能である。
【００４１】
即ち、複数本のテープ状布帛基材８又はシリコンゴム７を、適宜緩さのスパイラル状に、アンダーウェアー２の表面に、所定時間内のみ効果が生じる程度に軽く固着する方法によるものであり、シリコンゴム７などの裏面に、一時的に接着効果を維持できる程度の合成接着剤等を塗布してアンダーウェアー１の生地表面に固着するものである。
【００４２】
又、複数本のシリコンゴム７などを、上記の場合よりも緩さの度合の少ない、即ち長さ方向に急な角度を呈するが如き状態に、上記同様の手法で形成することも、当然乍ら可能である。
又、これら複数本のシリコンゴム７等は略等間隔且つ略平行状態を呈することは可能であるが、必ずしも該二つの条件を具備している必要は勿論なく、何れか一方でもよいことは当然である。
【００４３】
以上のような手法によって、着用者は、競技時の諸状況（本人の肉体的コンディションや外部の湿度その他のコンディション、その他あらゆる条件）に応じて、例えば該シリコンゴム７等を一本にするか複数本にするか、又、スパイラル状を呈する緩さの具合の加減調整、を自在に、その時々に行うことが出きるという新規な構成を呈していると云える。
【００４４】
【効果】
以上のべてきたところにより理解しうるように、本発明は、投手等が腕を振り投球する際、腕部に生じる空気抵抗となる、好ましくないカルマン渦を阻止乃至減少させることが出きるのであって、結果腕振りを速くかつ鋭くすることを可能とする。
従って、本発明は、投手のみならず、野手であってもバットスウィング時や送球時に効果が生じるのは勿論であり、本発明実施の効果は極めて大である。
又、本発明は、特に野球用アンダーウェアーに限らず、強い腕振りを伴う競技、例えば、テニス・ゴルフ・あるいはバレーボールなどなどにも適用可能であり優れた効果を発揮できることは明らかである。
【００４５】
即ち、本発明は、主としては、野球用アンダーウェアーの改良に係るものではあるが、それに限らず、「強い腕振り」を伴う競技用のウェアー全般に適用されうる極めて有効な新規技術と云える。
【００４６】
尚、最後に、これらの効果をデータ的に示すべく、次の実験を行ったことを附記しておくが、これにより判るように、本発明によるスパイラル加工の効果の優秀さが顕著に示された。
【００４７】
即ち、実験環境として、水平回流型風洞（風速２〜５０ｍ／ｓ）に於いて、直型６．７ｃｍの円柱形の模型に試料を被せ、円柱模型にかかる抵抗値の測定を行った。
条件　：　風速２０ｍ／ｓ（尚、投手が投球する時の腕振り速度は、腕の部位により異なるが、手首部では、略１８乃至２０ｍ／ｓと、一般には云われている）
2004131903.tif 000003
【図面の簡単な説明】
【図１】第一の実施例としてのアンダーウェアーの細溝を示す正面図、
【図２】第一の実施例としてのアンダーウェアーの細幅リブを示す正面図、
【図３】第一の実施例としてのアンダーウェアーの複数本の細溝を示す正面図、
【図４】第一の実施例としてのアンダーウェアーの細幅リブを示す正面図、
【図５】図３のＡ−Ａ線拡大断面図、
【図６】図４のＢ−Ｂ線拡大断面図、
【図７】第二の実施例としてのアンダーウェアーの細幅リブを示す正面図、
【図８】第二の実施例としてのアンダーウェアーの複数本の細幅リブを示す正面図、
【図９】図８のＣ−Ｃ線拡大断面図、
【図１０】第三の実施例としてのアンダーウェアーのドット列を示す正面図、
【図１１】第三の実施例としてのアンダーウェアーの複数のドット列を示す正面図、
【図１２】図１１のＤ−Ｄ線拡大断面斜視図、
【図１３（ａ）】第四及び第五の実施例として構成されたアンダーウェアーの要部拡大断面図、
【図１３（ｂ）】第四及び第五の実施例として構成されたアンダーウェアーの要部拡大断面図、である。
【符号の説明】
１・・・・・ウェアー本体
２・・・・・腕部
３，３’・・細溝
４，４’・・細幅リブ
５，５’・・細幅リブ
６，６’・・ドット
７・・・・・シリコンゴム
８・・・・・テープ状布帛基材
Ｐ，Ｐ’・・ピッチ
Ｄ・・・・・深さ
Ｗ・・・・・幅
【図１】
2004131903.tif 000004
【図２】
2004131903.tif 000005
【図３】
2004131903.tif 000006
【図４】
2004131903.tif 000007
【図５】
2004131903.tif 000008
【図６】
2004131903.tif 000009
【図７】
2004131903.tif 000010
【図８】
2004131903.tif 000011
【図９】
2004131903.tif 000012
【図１０】
2004131903.tif 000013
【図１１】
2004131903.tif 000014
【図１２】
2004131903.tif 000015
【図１３（ａ）】
2004131903.tif 000016
【図１３（ｂ）】
2004131903.tif 000017